(57)【要約】【課題】単純な内部構造でポジショニング照明が可能な表示装置を提供する。【解決手段】表面を表示部５０とするフィルタ部１００、表示部５０に表示される各種操作等の内容を示す表示マークであるマーク１〜３（１１０Ａ〜１１０Ｃ）に対応してタッチ操作等により入力可能な電極部２００、光を光源からフィルタ部へ導くライトガイド３００、及び、それぞれ対応する各表示マークへ発振波長の異なる光を照射する紫外ＬＥＤ１、紫外ＬＥＤ２、青ＬＥＤ（４１０Ａ〜４１０Ｃ）が実装された基板４００から表示装置を構成し、各ＬＥＤが対応するマーク、及び、隣接するマークをそれぞれ対応するカラーフィルタを介して蛍光体１０３を照明することで、ポジショニング照明を可能とする。【選択図】図１
2012150304.tif 000002
【特許請求の範囲】
【請求項１】
複数のマークが形成され、前記複数のマークに対応してそれぞれ蛍光体が形成されると共に、前記複数のマークに対応してそれぞれ所定の波長領域で光を透過するカラーフィルタを備えたフィルタ部と、
前記複数のマークに対応して設けられ、少なくとも対応するカラーフィルタを透過するスペクトル分布で発光する光源と、を有し、
第１のマークのカラーフィルタの光を透過する波長の一部と、前記第１のマークに隣接する第２のマークに対応して備えられた光源のスペクトル分布の一部が、透過波長領域において重複して設定され、前記蛍光体は、前記光源からの光により発光することを特徴とする表示装置。
【請求項２】
前記蛍光体は、前記マークに対応して同一の形状に形成されていることを特徴とする請求項１に記載の表示装置。
【請求項３】
前記蛍光体は、白色で発光することを特徴とする請求項１又２に記載の表示装置。
【請求項４】
前記複数のマークに対応して設けられた複数のカラーフィルタの透過波長領域は、それぞれ異なる波長に設定されていることを特徴とする請求項１から３のいずれかに記載の表示装置。
【請求項５】
前記複数のマークに対応して設けられた複数の光源のスペクトル分布は、それぞれ異なる波長に設定されていることを特徴とする請求項１から４のいずれかに記載の表示装置。
【発明の詳細な説明】
【技術分野】
【０００１】
本発明は、表示装置に関する。
【背景技術】
【０００２】
従来、各種のインジケータ表示マークが透光表示板に形成され、それぞれのインジケータ表示マークを照明するための複数の光源が配設された表示装置がある。例えば、運転席前方のインストルメントパネル又はセンタークラスタ等に形成された表示窓に有底筒状のケースの開口部が臨むようにケースを装着し、このケースの開口にインジケータ表示マークが形成された透光表示板を配設すると共に、ケースの底部に上記インジケータ表示マークに光を照射する光源を配設した自動車のインジケータ表示装置がある（例えば、特許文献１参照）。
【０００３】
この表示装置は、各種のインジケータ表示マークを車両上下方向に隣接させて配列し、上記ケース内を各インジケータ表示マークごとに独立した照明室に区分けすると共に、各照明室の底部にそれぞれ光源を配置して各インジケータ表示マークを照明する。この表示装置によれば、それぞれのインジケータ表示マークを独立した照明室に区分けし、複数のインジケータ表示マークをそれぞれ対応した複数の光源で照射して表示するので、各インジケータ表示マークの視認性を確保できるとされている。
【先行技術文献】
【特許文献】
【０００４】
【特許文献１】特開２００１−９７０７５号公報
【発明の概要】
【発明が解決しようとする課題】
【０００５】
しかし、特許文献１の表示装置によれば、それぞれのインジケータ表示マークを独立に照明するために区分けするための仕切りが必要であった。また、隣接する各インジケータ表示マークの照明の演出にも限度があり、ポジショニング照明等の新しい意匠の提示が難しいという問題があった。
【０００６】
そこで本発明の目的は、単純な内部構造でポジショニング照明が可能な表示装置を提供することにある。
【課題を解決するための手段】
【０００７】
［１］本発明は、上記目的を達成するため、複数のマークが形成され、前記複数のマークに対応してそれぞれ蛍光体が形成されると共に、前記複数のマークに対応してそれぞれ所定の波長領域で光を透過するカラーフィルタを備えたフィルタ部と、前記複数のマークに対応して設けられ、少なくとも対応するカラーフィルタを透過するスペクトル分布で発光する光源と、を有し、第１のマークのカラーフィルタの光を透過する波長の一部と、前記第１のマークに隣接する第２のマークに対応して備えられた光源のスペクトル分布の一部が、透過波長領域において重複して設定され、前記蛍光体は、前記光源からの光により発光することを特徴とする表示装置を提供する。
【０００８】
［２］前記蛍光体は、前記マークに対応して同一の形状に形成されていることを特徴とする上記［１］に記載の表示装置であってもよい。
【０００９】
［３］また、前記蛍光体は、白色で発光することを特徴とする上記［１］又は［２］に記載の表示装置であってもよい。
【００１０】
［４］また、前記複数のマークに対応して設けられた複数のカラーフィルタの透過波長領域は、それぞれ異なる波長に設定されていることを特徴とする上記［１］から［３］のいずれかに記載の表示装置であってもよい。
【００１１】
［５］また、前記複数のマークに対応して設けられた複数の光源のスペクトル分布は、それぞれ異なる波長に設定されていることを特徴とする上記［１］から［４］のいずれかに記載の表示装置であってもよい。
【発明の効果】
【００１２】
本発明によれば、単純な内部構造でポジショニング照明が可能な表示装置を提供することができる。
【図面の簡単な説明】
【００１３】
【図１】図１は、本発明の実施の形態に係る表示装置の構成を示す概略斜視図である。
【図２】図２は、図１においてＡから見た平面図である。
【図３】図３（ａ）は、フィルタ部の詳細断面図であり、（ｂ）は、ベースとフィルタ部のマーク印刷部の層だけを詳細に示す斜視図である。
【図４】図４（ａ）は、異なる形態に係るフィルタ部の詳細断面図であり、（ｂ）は、そのフィルタ部のベースとマーク印刷部の層だけを詳細に示す斜視図である。
【図５】図５（ａ）〜（ｃ）は、各マーク１〜３に対応して設けられるフィルタの波長特性を示すフィルタ特性図である。
【図６】図６（ａ）〜（ｃ）は、各マーク１〜３を照明する紫外ＬＥＤ１、紫外ＬＥＤ２、青ＬＥＤ（４１０Ａ〜４１０Ｃ）のそれぞれのスペクトル分布を示す光源特性図である。
【図７】図７は、夜間照明時の照明状態を照明モードごとに示した一覧図である。
【図８】図８は、昼間照明時の照明状態を照明モードごとに示した一覧図である。
【図９】図９（ａ）は、紫外ＬＥＤ１点灯時における、波長と、フィルタ、ＬＥＤの透過率／相対光度の関係を示す関係図であり、（ｂ）は、そのときの表示部のインジケータ表示マークの見え方を模式的に示した表示部の平面図である。
【図１０】図１０（ａ）は、紫外ＬＥＤ２点灯時における、波長と、フィルタ、ＬＥＤの透過率／相対光度の関係を示す関係図であり、（ｂ）は、そのときの表示部のインジケータ表示マークの見え方を模式的に示した表示部の平面図である。
【発明を実施するための形態】
【００１４】
［表示装置の構成］
図１は、本発明の実施の形態に係る表示装置１０の構成を示す概略斜視図である。図２は、図１においてＡから見た平面図である。また、図３（ａ）は、フィルタ部の詳細断面図であり、（ｂ）は、ベースとフィルタ部のマーク印刷部の層だけを詳細に示す斜視図である。図４（ａ）は、異なる形態に係るフィルタ部の詳細断面図であり、（ｂ）は、そのフィルタ部のベースとマーク印刷部の層だけを詳細に示す斜視図である。以下、図１〜４に基づいて表示装置１０の構成を説明する。
【００１５】
本発明の実施の形態に係る表示装置１０は、表面を表示部５０とするフィルタ部１００、表示部５０に表示される各種操作等の内容を示す表示マークであるマーク１〜３（１１０Ａ〜１１０Ｃ）に対応してタッチ操作等により入力可能な電極部２００、光を光源からフィルタ部へ導くライトガイド３００、及び、それぞれ対応する各表示マークへ発振波長の異なる光を照射する紫外ＬＥＤ１、紫外ＬＥＤ２、青ＬＥＤ（４１０Ａ〜４１０Ｃ）が実装された基板４００から概略構成された照明構造を有する表示装置である。
【００１６】
フィルタ部１００は、図１、３に示すように、表示部５０の側から、傷つき防止のためのハードコート１０５、外からの紫外線による蛍光発光を防止する紫外線カットフィルタ１０７、視覚的演出等のためのスモーク１０４、蛍光体１０３、各マーク１〜３（１１０Ａ〜１１０Ｃ）を表示するためのマーク印刷部１０２、各マーク１〜３（１１０Ａ〜１１０Ｃ）にそれぞれ対応して形成（印刷）されたカラーフィルタＡ、Ｂ、Ｃ（１０１Ａ〜１０１Ｃ）、光を透過する樹脂等で形成された基材であるベース１０６、から概略構成される。尚、各マーク１〜３は、図形、記号、文字等からなる表示マークであり、表示対象の装置の動作状態や操作内容等を表示するものである。
【００１７】
ベース１０６の片面には、図１、３で示すように、表示部５０に表示するマーク１〜３（１１０Ａ〜１１０Ｃ）を黒色の顔料インク等で白抜き印刷してマーク印刷部１０２を形成する。すなわち、図３（ａ）、（ｂ）で示すように、表示したいマーク部分が光を透過するようにマーク部分以外の周囲に光を透過しないあるいは透過率の低いインク等で印刷を行なう。本実施の形態では、視認性をよくするために、黒色のインクで白抜き印刷してマーク印刷部１０２を形成したが、黒色以外の色を用いて印刷することができ、また、耐光性をあまり必要としない場合には染料系のインク等で印刷することもできる。
【００１８】
ここで、カラーフィルタＡ、Ｂ、Ｃ（１０１Ａ〜１０１Ｃ）は、上記の黒色のインクで白抜き印刷した白抜きの部分にカラーの透過性を有するインク等で印刷される。すなわち、カラーフィルタＡ、Ｂ、Ｃ（１０１Ａ〜１０１Ｃ）は、各マーク１〜３に対応して各マークと同一の形状に形成されている。
【００１９】
マーク印刷部１０３のマーク部分には、カラー表示のためのカラーフィルタ印刷が施され、マーク部分以外の領域は光を透過しない黒印刷が施されているので、光はカラーフィルタＡ、Ｂ、Ｃ（１０１Ａ〜１０１Ｃ）の部分のみを透過する。
【００２０】
また、図３（ａ）に示すように、蛍光体１０３がカラーフィルタＡ、Ｂ、Ｃ（１０１Ａ〜１０１Ｃ）の上に重ねて同一形状で形成（印刷）されている。これにより、不要な部分での発光が抑制されて、各マーク１〜３の形状のみが蛍光色で発光することになる。
【００２１】
蛍光体１０３は、青色を発光する３Ｓｒ３（ＰＯ４）２・ＳｒＣｌ２：Ｅｕ２＋、緑色を発光するＹ２ＳｉＯ５：Ｃe，Ｔｂ、赤色を発光するＹ２Ｏ３：Ｅｕを混合して白色を発光するように形成されている。尚、蛍光体１０３は、図３（ａ）に示すように、本実施の形態では、すべてのマークに同じ蛍光体材料を使用したが、マークごとに異なる蛍光体材料を使用することもできる。また、混合比を変えて白色以外の色、例えば、赤色等の色を発光するようにしてもよい。
【００２２】
図４（ａ）は、異なる形態に係るフィルタ部の詳細断面図であり、（ｂ）は、そのフィルタ部のベースとマーク印刷部の層だけを詳細に示す斜視図である。すなわち、この別実施例では、黒印刷が２度施される。ベース１０６の片面に、図４で示すように、まず、表示部５０に表示するマーク１〜３（１１０Ａ〜１１０Ｃ）を黒色の顔料インク等で白抜き印刷してマーク印刷部１０２Ａを形成（印刷）し、その白抜きの部分にカラーの透過性を有するインク等でカラーフィルタＡ、Ｂ、Ｃ（１０１Ａ〜１０１Ｃ）を形成（印刷）する。次に、マーク印刷部１０２Ａに重ねて同一の形状にマーク印刷部１０２Ｂを形成（印刷）し、その白抜きの部分に蛍光体１０３を形成（印刷）する。
【００２３】
これにより、蛍光体１０３の周囲にも黒印刷が施されるので、マークの形状以外の部分での光の透過が完全に防止でき、各マーク１〜３の形状のみが、よりくっきりと蛍光色で発光することになる。
【００２４】
図５（ａ）〜（ｃ）は、各マーク１〜３に対応して設けられるフィルタの波長特性を示すフィルタ特性図である。図５（ａ）は、紫外Ａのフィルタ色のカラーフィルタ（バンドパスフィルタ）の波長特性である。横軸に波長（ｎｍ）、縦軸に透過率（％）として最大光度を１００％に規格化してグラフ化したものである。紫外Ａの色領域を透過させるように、３９０ｎｍを中心とし、バンド幅約６０ｎｍの波長領域で相対光度が約１００となるインク等を使用してマーク１（１１０Ａ）部分のカラーフィルタＡ（１０１Ａ）を形成する。尚、上記の紫外Ａの色に対応する波長領域は一例であり、波長の下限、上限がシフトし、また、相対光度が図示したプロファイルと異なるものであっても、使用することができる。
【００２５】
図５（ｂ）は、紫外Ｂのフィルタ色のカラーフィルタ（バンドパスフィルタ）の波長特性である。横軸に波長（ｎｍ）、縦軸に透過率（％）として最大光度を１００％に規格化してグラフ化したものである。紫外Ａの色領域を透過させるように、４３０ｎｍを中心とし、バンド幅約６０ｎｍの波長領域で相対光度が約１００となるインク等を使用してマーク２（１１０Ｂ）部分のカラーフィルタＢ（１０１Ｂ）を形成する。尚、上記の紫外Ｂの色に対応する波長領域は一例であり、波長の下限、上限がシフトし、また、相対光度が図示したプロファイルと異なるものであっても、使用することができる。
【００２６】
図５（ｃ）は、青色Ｃのフィルタ色のカラーフィルタ（バンドパスフィルタ）の波長特性である。横軸に波長（ｎｍ）、縦軸に透過率（％）として最大光度を１００％に規格化してグラフ化したものである。青の色領域を透過させるように、４７０ｎｍを中心とし、バンド幅約６０ｎｍの波長領域で相対光度が約１００となるインク等を使用してマーク３（１１０Ｃ）部分のカラーフィルタＣ（１０１Ｃ）を形成する。尚、上記の青色に対応する波長領域は一例であり、波長の下限、上限がシフトし、また、相対光度が図示したプロファイルと異なるものであっても、視覚で青色を感じる波長特性のものであれば使用することができる。
【００２７】
電極部２００は、図１、２に示すように、フィルタ部１００の裏面に、各表示マークに対応した位置にそれぞれタッチセンサが配置されて構成されている。このタッチセンサは、静電容量式のタッチセンサからなり、操作者の手指の接近又は接触を検出する静電容量検出用の透明電極が印刷された透明なフィルムシートにより形成されている。その透明電極は、例えば可視光に対して透明なＩＴＯ（インジウム錫酸化物）などの金属酸化物の薄膜によりパターン状に形成されている。尚、電極部２００を設けずに、入力機能のない表示機能だけを有する表示装置１０とすることもできる。
【００２８】
ライトガイド３００は、例えば、アクリル（ＰＭＭＡ）等の光を透過する樹脂等で形成され、紫外ＬＥＤ１、紫外ＬＥＤ２、青ＬＥＤ（４１０Ａ〜４１０Ｃ）から照射される各光源の光をフィルタ部１００へ導く導光部材である。このライトガイド３００を用いることにより、光路を安定化でき、また、短い距離で光路長を設定できるので、安定で小型化した表示装置１０とすることができる。尚、このライトガイド３００は必須ではなく、紫外ＬＥＤ１、紫外ＬＥＤ２、青ＬＥＤ（４１０Ａ〜４１０Ｃ）からライトガイドを介さずに、各光源の光を直接フィルタ部１００へ照射する構成としてもよい。
【００２９】
紫外ＬＥＤ１、紫外ＬＥＤ２、青ＬＥＤ（４１０Ａ〜４１０Ｃ）は、それぞれ異なる波長特性をもつ光源である。図６（ａ）〜（ｃ）は、各マーク１〜３を照明する紫外ＬＥＤ１、紫外ＬＥＤ２、青ＬＥＤ（４１０Ａ〜４１０Ｃ）のそれぞれのスペクトル分布を示す光源特性図である。
【００３０】
図６（ａ）は、図１に示すマーク１（１１０Ａ）及びそれに隣接するマークを紫外で照明するための紫外ＬＥＤ１（４１０Ａ）のスペクトル分布を示す。紫外ＬＥＤ１（４１０Ａ）は、ピーク発振波長３９０ｎｍで紫外に発光する発光ダイオードである。図６（ａ）に示すスペクトル分布は一例であるが、スペクトル分布の両側の波長領域が、図５（ｂ）で示したマーク２（１１０Ｂ）部分のカラーフィルタＢ（１０１Ｂ）の透過領域（バンドパス領域）にクロスオーバーしている。これにより隣接するマーク２（１１０Ｂ）に減光表示が可能となる。
【００３１】
図６（ｂ）は、図１に示すマーク２（１１０Ｂ）及びそれに隣接するマークを紫外で照明するための紫外ＬＥＤ２（４１０Ｂ）のスペクトル分布を示す。紫外ＬＥＤ２（４１０Ｂ）は、ピーク発振波長４３０ｎｍで紫外に発光する発光ダイオードである。図６（ｂ）に示すスペクトル分布は一例であるが、スペクトル分布の両側の波長領域が、図５（ａ）、（ｃ）で示したマーク１（１１０Ａ）とマーク３（１１０Ｃ）部分のカラーフィルタＡ（１０１Ａ）、カラーフィルタＣ（１０１Ｃ）の透過領域（バンドパス領域）にクロスオーバーしている。これにより隣接するマーク１（１１０Ａ）及びマーク３（１１０Ｃ）に減光表示が可能となる。
【００３２】
図６（ｃ）は、図１に示すマーク３（１１０Ｃ）及びそれに隣接するマークを青色で照明するための青ＬＥＤ（４１０Ｃ）のスペクトル分布を示す。青ＬＥＤ（４１０Ｃ）は、ピーク発振波長４７０ｎｍで青色に発光する発光ダイオードである。図６（ｃ）に示すスペクトル分布は一例であるが、スペクトル分布の両側の波長領域が、図５（ｂ）で示したマーク２（１１０Ｂ）部分のカラーフィルタＢ（１０１Ｂ）の透過領域（バンドパス領域）にクロスオーバーしている。これにより隣接するマーク２（１１０Ｂ）に減光表示が可能となる。
【００３３】
［本発明の実施の形態の動作］
図７は、夜間照明時の照明状態を照明モードごとに示した一覧図である。また、図８は、昼間照明時の照明状態を照明モードごとに示した一覧図である。両図において、図１に示したマーク１〜マーク３の３種類のマークを空調モード（ＭＯＤＥ）として最上段に横に並べて配置した。各列には、これらの空調モード時に照明されるフィルタ色、照明時の状態が欄内に記号（○△―）により記載されている。
【００３４】
（夜間照明状態）
スモールランプ、ヘッドランプ点灯等による夜間照明状態の場合、空調装置の操作表示部は図７の一覧に示すようなモードでマーク照明（マーク表示）がされる。例えば、一番左の「ＦＡＣＥ」モードを選択するために図１で示すマーク１（１１０Ａ）をタッチすると、電極部２００によるタッチ検出により、紫外ＬＥＤ１（４１０Ａ）が点灯する。このとき紫外ＬＥＤ１（４１０Ａ）は、図２に示すように、所定の放射角特性でフィルタ部を照射、照明する。図１、図３（ｂ）、図４（ｂ）に示すマーク１（１１０Ａ）に対応するカラーフィルタＡ（１０１Ａ）及び蛍光体１０３は主光線により強く照明され、隣接するマーク２（１１０Ｂ）に対応するカラーフィルタＢ（１０１Ｂ）及び蛍光体１０３も拡散した光線により照明される。
【００３５】
マーク１（１１０Ａ）が電極部２００によるタッチ検出により選択されると、紫外ＬＥＤ１（４１０Ａ）が点灯してカラーフィルタＡ（１０１Ａ）及び蛍光体１０３が照明され、表示部５０には、照明輝度・強（１０ｃｄ／ｍ２）で白の蛍光色でマーク１（１１０Ａ）が表示される。また、隣接するマークが照明（表示）された場合、すなわち、紫外ＬＥＤ２（４１０Ｂ）が点灯した場合は、この紫外ＬＥＤ２（４１０Ｂ）の照明によってカラーフィルタＢ（１０１Ｂ）及び蛍光体１０３が減光照明され、照明輝度・弱（５ｃｄ／ｍ２）で白の蛍光色でマーク１（１１０Ａ）が減光表示される。その他のマークが照明（表示）された場合は、常時照明として１ｃｄ／ｍ２の輝度で白の蛍光色でマーク１（１１０Ａ）が表示される。夜間照明状態で各マークの視認性を確保するためである。
【００３６】
図９（ａ）は、紫外ＬＥＤ１（４１０Ａ）点灯時における、波長と、フィルタ、ＬＥＤの透過率／相対光度の関係を示す関係図であり、（ｂ）は、そのときの表示部のインジケータ表示マークの見え方を模式的に示した表示部の平面図である。図９（ａ）は、図５（ａ）、（ｂ）で示したカラーフィルタＡ（１０１Ａ）とカラーフィルタＢ（１０１Ｂ）のそれぞれ紫外Ａ、紫外Ｂのカラーフィルタ（バンドパスフィルタ）の波長特性、及び、図６（ａ）で示した紫外を発光する紫外ＬＥＤ１（４１０Ａ）のスペクトル分布（波長特性）を重ねて表示したものである。
【００３７】
これによれば、紫外ＬＥＤ１（４１０Ａ）が点灯して紫外Ａの色が照射された場合は、図９（ａ）に示すように紫外ＬＥＤ１（４１０Ａ）のスペクトル分布とカラーフィルタＡ（１０１Ａ）の紫外Ａのバンドパス領域が略一致しているので、カラーフィルタＡ（１０１Ａ）及び蛍光体１０３が照射されることによりマーク１（１１０Ａ）は白の蛍光色で照明輝度・強（１０ｃｄ／ｍ２）で照明（表示）される。また、紫外ＬＥＤ１（４１０Ａ）のスペクトル分布の波長領域と隣接するカラーフィルタＢ（１０１Ｂ）の紫外Ｂのバンドパス領域がその一部領域でクロスオーバーしているので、マーク２（１１０Ｂ）は、照明輝度・弱（５ｃｄ／ｍ２）で白の蛍光色で減光照明（表示）される。また、マーク３（１１０Ｃ）は、カラーフィルタＣ（１０１Ｃ）を紫外ＬＥＤ１（４１０Ａ）の光が透過しないが、青ＬＥＤ（４１０Ｃ）を微弱に発光させることで、１ｃｄ／ｍ２の輝度で白の蛍光色で照明（表示）される。
【００３８】
図１０（ａ）は、紫外ＬＥＤ２（４１０Ｂ）点灯時における、波長と、フィルタ、ＬＥＤの透過率／相対光度の関係を示す関係図であり、（ｂ）は、そのときの表示部のインジケータ表示マークの見え方を模式的に示した表示部の平面図である。青ＬＥＤ（４１０Ｃ）点灯時も同様であるので、図示は省略するが、それぞれ、上記説明した紫外ＬＥＤ１（４１０Ａ）の点灯時における動作と同様である。すなわち、マークに対応したＬＥＤが点灯する場合は、そのマークは照明輝度・強（１０ｃｄ／ｍ２）で白の蛍光色で照明（表示）される。また、そのマークに隣接したＬＥＤが点灯した場合は、そのマークは照明輝度・弱（５ｃｄ／ｍ２）で白の蛍光色で減光照明（表示）される。また、その他のマークが照明（表示）された場合は、夜間照明状態で各マークの視認性を確保するために、常時照明として１ｃｄ／ｍ２の輝度で白の蛍光色で照明（表示）される。
【００３９】
以上のように、マーク１〜３（１１０Ａ〜１１０Ｃ）は、図１、３、４で示したそのマークに対応して設けられた蛍光体１０３がそれぞれ白の蛍光色で発光することにより、それぞれ照明（表示）される。そのマークが選択された場合は、白の蛍光色で照明輝度・強で照明（表示）され、隣接したマークが選択された場合は、白の蛍光色でで照明輝度・弱で減光照明（表示）され、その他のマークが選択された場合は、白の蛍光色でさらに弱い輝度の常時照明がされる。従って、マーク１（１１０Ａ）〜マーク３（１１０Ｃ）の照明効果により、選択されたマークの位置が容易に視認でき、いわゆる、ポジショニング照明が可能となる。
【００４０】
（昼間照明状態）
スモールランプ、ヘッドランプ等が点灯されない昼間照明状態の場合、空調装置の操作表示部は図８の一覧に示すようなモードでマーク照明（マーク表示）がされる。例えば、一番左の「ＦＡＣＥ」モードを選択するために図１で示すマーク１（１１０Ａ）をタッチすると、電極部２００によるタッチ検出により、紫外ＬＥＤ１（４１０Ａ）が点灯する。このとき紫外ＬＥＤ１（４１０Ａ）は、図２に示すように、所定の放射角特性でフィルタ部を照射、照明する。図１、図３（ｂ）、図４（ｂ）に示すマーク１（１１０Ａ）に対応するカラーフィルタＡ（１０１Ａ）及び蛍光体１０３は主光線により強く照明され、隣接するマーク２（１１０Ｂ）に対応するカラーフィルタＢ（１０１Ｂ）及び蛍光体１０３も拡散した光線により照明される。
【００４１】
マーク１（１１０Ａ）が電極部２００によるタッチ検出により選択されると、紫外ＬＥＤ１（４１０Ａ）が点灯してカラーフィルタＡ（１０１Ａ）及び蛍光体１０３が照明され、表示部５０には、照明輝度・強（４００ｃｄ／ｍ２）で白の蛍光色でマーク１（１１０Ａ）が表示される。また、隣接するマークが照明（表示）された場合、すなわち、紫外ＬＥＤ２（４１０Ｂ）が点灯した場合は、この紫外ＬＥＤ２（４１０Ｂ）の照明によってカラーフィルタＢ（１０１Ｂ）及び蛍光体１０３が減光照明され、照明輝度・弱（２００ｃｄ／ｍ２）で白の蛍光色でマーク１（１１０Ａ）が減光表示される。その他のマークが照明（表示）された場合は、常時照明として５０ｃｄ／ｍ２の輝度で白の蛍光色でマーク１（１１０Ａ）が表示される。各マークの視認性を確保するためである。その他のマークの照明（表示）についても、夜間照明時と同様の動作によるので、重複する説明を省略する。
【００４２】
昼間照明状態において、マーク１〜３（１１０Ａ〜１１０Ｃ）は、図１、３、４で示したそのマークに対応して設けられた蛍光体１０３がそれぞれ白の蛍光色で発光することにより、それぞれ照明（表示）される。そのマークが選択された場合は、白の蛍光色で照明輝度・強で照明（表示）され、隣接したマークが選択された場合は、白の蛍光色でで照明輝度・弱で減光照明（表示）され、その他のマークが選択された場合は、白の蛍光色でさらに弱い輝度の常時照明がされる。従って、マーク１（１１０Ａ）〜マーク３（１１０Ｃ）の照明効果により、選択されたマークの位置が容易に視認でき、いわゆる、ポジショニング照明が可能となる。
【００４３】
［本発明の実施の形態による効果］
（１）本発明の実施の形態によれば、それぞれのマークに対応してカラーフィルタ、蛍光体、及び、光源を備えることにより、単純な内部構造で、選択中のモードとその前後のモードをユーザに知らせるポジショニング照明が可能な表示装置を提供することができる。
（２）マークの形状に形成された蛍光体の発光により表示するので、斜め方向への輝度が向上し、視認性に優れた表示装置を提供することができる。
（３）上記のように、カラーフィルタと特定のスペクトル分布を持つ光源の組合せにより、隣接するマーク間で、減光照明が可能となるので、減光回路等を必要としない単純な内部構造でポジショニング照明が可能な表示装置を提供することができる。
（４）本実施の形態による減光照明により新しい照明の演出が可能となる。
（５）現在の操作状況がマークの輝度により明らかとなるので、マーク自体にポジショニング機能が追加され、従来必要とされていたＯＮインジケータ等が不要となる。
（６）蛍光体の周囲にも黒印刷を施す構成にすれば、マークの形状以外の部分での光の透過が完全に防止でき、各マークの形状のみが、よりくっきりと蛍光色で発光する表示装置を提供することができる。
【００４４】
以上、本発明に好適な実施の形態を説明したが、本発明はこの実施の形態に限定されるものではなく、その要旨を変更しない範囲内で種々の変形が可能である。例えば、本実施の形態では、マークに対応して設けられた蛍光体１０３がすべて白の蛍光色を発光するものとしたが、マークごとに蛍光色を変化させて配置することにより、ポジショニング照明と共に、色の変化によるグラデーション照明も可能である。
【符号の説明】
【００４５】
１０…表示装置
５０…表示部
１００…フィルタ部
１０１Ａ〜１０１Ｃ…カラーフィルタＡ〜カラーフィルタＣ
１０２、１０２Ａ、１０２Ｂ…マーク印刷部
１０３…蛍光体
１０４…スモーク
１０５…ハードコート
１０６…ベース
１０７…紫外線カットフィルタ
１１０Ａ〜１１０Ｃ…マーク１〜マーク３
２００…電極部
３００…ライトガイド
４００…基板
４１０Ａ〜４１０Ｃ…紫外ＬＥＤ１、紫外ＬＥＤ２、青ＬＥＤ
【図１】
2012150304.tif 000003
【図２】
2012150304.tif 000004
【図３】
2012150304.tif 000005
【図４】
2012150304.tif 000006
【図５】
2012150304.tif 000007
【図６】
2012150304.tif 000008
【図７】
2012150304.tif 000009
【図８】
2012150304.tif 000010
【図９】
2012150304.tif 000011
【図１０】
2012150304.tif 000012